(57)【要約】【課題】処理効率に優れた紙葉類処理技術を提供すること。【解決手段】紙葉類処理装置は、処理対象の紙葉類の有無を検出するとともに、紙葉類を順に供給する第１の供給手段と、前記第１の供給手段により供給された紙葉類を順に処理する処理手段と、前記処理手段により処理された紙葉類を順に集積する集積手段と、前記集積手段に集積された複数の紙葉類を所定枚数単位で仕切るための仕切り紙の有無を検出するとともに、仕切り紙要求タイミングに基づき仕切り紙を前記集積手段へ供給する第２の供給手段と、仕切り紙無しが検出されても未処理の紙葉類有りの検出に基づき紙葉類処理を継続し、未処理の紙葉類無しの検出に基づき紙葉類処理を停止する制御手段とを備える。【選択図】図１
2009227348.tif 000002
【特許請求の範囲】
【請求項１】
処理対象の紙葉類の有無を検出するとともに、紙葉類を順に供給する第１の供給手段と、
前記第１の供給手段により供給された紙葉類を順に処理する処理手段と、
前記処理手段により処理された紙葉類を順に集積する集積手段と、
前記集積手段に集積された複数の紙葉類を所定枚数単位で仕切るための仕切り紙の有無を検出するとともに、仕切り紙要求タイミングに基づき仕切り紙を前記集積手段へ供給する第２の供給手段と、
仕切り紙無しが検出されても未処理の紙葉類有りの検出に基づき紙葉類処理を継続し、未処理の紙葉類無しの検出に基づき紙葉類処理を停止する制御手段と、
を備えた紙葉類処理装置。
【請求項２】
前記制御手段は、仕切り紙無しの検出に基づき仕切り紙無しに関する情報を出力することを特徴とする請求項１に記載の紙葉類処理装置。
【請求項３】
処理対象の紙葉類の有無を検出するとともに、紙葉類を順に供給する第１の供給手段と、
前記第１の供給手段により供給された紙葉類を順に処理する処理手段と、
前記処理手段により処理された紙葉類を順に集積する集積手段と、
前記集積手段に集積された複数の紙葉類を所定枚数単位で仕切るための仕切り紙の有無を検出するとともに、仕切り紙要求タイミングに基づき仕切り紙を前記集積手段へ供給する第２の供給手段と、
仕切り紙無しが検出されても未処理の紙葉類有り且つ仕切り紙要求無しに基づき紙葉類処理を継続し、仕切り紙無し検出且つ仕切り紙要求有りに基づき紙葉類処理を停止する制御手段と、
を備えた紙葉類処理装置。
【請求項４】
前記制御手段は、仕切り紙無しの検出に基づき仕切り紙無しに関する情報を出力することを特徴とする請求項３に記載の紙葉類処理装置。
【請求項５】
紙葉類を順に供給し、
前記供給された紙葉類を順に処理し、
前記処理された紙葉類を順に集積し、
紙葉類集積先に対して、仕切り紙要求タイミングに基づき仕切り紙を供給し、
仕切り紙無しが検出されても未処理の紙葉類有りの検出に基づき紙葉類処理を継続し、未処理の紙葉類無しの検出に基づき紙葉類処理を停止する、
ことを特徴とする紙葉類処理方法。
【請求項６】
仕切り紙無しの検出に基づき仕切り紙無しに関する情報を出力することを特徴とする請求項５に記載の紙葉類処理方法。
【請求項７】
紙葉類を順に供給し、
前記供給された紙葉類を順に処理し、
前記処理された紙葉類を順に集積し、
紙葉類集積先に対して、仕切り紙要求タイミングに基づき仕切り紙を供給し、
仕切り紙無しが検出されても未処理の紙葉類有り且つ仕切り紙要求無しに基づき紙葉類処理を継続し、仕切り紙無し検出且つ仕切り紙要求有りに基づき紙葉類処理を停止する、
ことを特徴とする紙葉類処理方法。
【請求項８】
仕切り紙無しの検出に基づき仕切り紙無しに関する情報を出力することを特徴とする請求項７に記載の紙葉類処理方法。
【発明の詳細な説明】
【技術分野】
【０００１】
本発明は、有価証券等の紙葉類を処理する紙葉類処理技術に関する。
【背景技術】
【０００２】
紙葉類処理装置は、例えば、有価証券等の紙葉類を複数枚収容し、収容された紙葉類を一枚ずつ取り出し、ＯＣＲなどで紙葉類の券面情報を読み取り、これら読取済みの紙葉類を集積する。さらに、紙葉類処理装置は、読取済みの紙葉類を所定枚数単位で区別するための厚紙等の仕切り紙を供給する機能を備えている。これにより、紙葉類処理装置は、所定枚数単位で読取済みの紙葉類に対して仕切り紙を入れる（特許文献１参照）。
【０００３】
紙葉類処理装置は、運転開始後、仕切り紙無し検出に基づき運転を停止する。つまり、紙葉類処理装置は、仕切り紙無し検出に基づき、処理対象の紙葉類が存在しているにもかかわらず、即座に運転を停止する。さらに、紙葉類処理装置は、仕切り紙の補充を要求し、仕切り紙が補充されることを運転再開条件としている。
【特許文献１】特開平７−２６７４０２
【発明の開示】
【発明が解決しようとする課題】
【０００４】
上記したように、紙葉類処理装置は、仕切り紙無し検出に基づき、即座に運転を停止し、仕切り紙の補充を要求する。仕切り紙無しでも紙葉類を適切に処理できる場合があるが、紙葉類処理装置は、仕切り紙が無いと運転を再開しない。例えば、処理対象の紙葉類が残り僅かで、仕切り紙の挿入が発生しないようなケースが考えられる。このようなケースでも、紙葉類処理装置は、仕切り紙無し検出に基づき、運転を停止し、仕切り紙の補充を要求し続ける。このような紙葉類処理装置の動作に対して、紙葉類処理効率の向上が要望されている。
【０００５】
本発明の目的は、処理効率に優れた紙葉類処理技術を提供することにある。
【課題を解決するための手段】
【０００６】
この発明の一実施形態に係る紙葉類処理装置は、処理対象の紙葉類の有無を検出するとともに、紙葉類を順に供給する第１の供給手段と、前記第１の供給手段により供給された紙葉類を順に処理する処理手段と、前記処理手段により処理された紙葉類を順に集積する集積手段と、前記集積手段に集積された複数の紙葉類を所定枚数単位で仕切るための仕切り紙の有無を検出するとともに、仕切り紙要求タイミングに基づき仕切り紙を前記集積手段へ供給する第２の供給手段と、仕切り紙無しが検出されても未処理の紙葉類有りの検出に基づき紙葉類処理を継続し、未処理の紙葉類無しの検出に基づき紙葉類処理を停止する制御手段と、を備えている。
【０００７】
この発明の一実施形態に係る紙葉類処理方法は、紙葉類を順に供給し、前記供給された紙葉類を順に処理し、前記処理された紙葉類を順に集積し、紙葉類集積先に対して、仕切り紙要求タイミングに基づき仕切り紙を供給し、仕切り紙無しが検出されても未処理の紙葉類有りの検出に基づき紙葉類処理を継続し、未処理の紙葉類無しの検出に基づき紙葉類処理を停止する。
【発明の効果】
【０００８】
本発明によれば、処理効率に優れた紙葉類処理技術を提供できる。
【発明を実施するための最良の形態】
【０００９】
以下、図面を参照し、本発明の実施形態について説明する。
【００１０】
図１は、本実施形態に係る紙葉類処理システムの概略構成を示すブロック図である。図２は、紙葉類処理システムの搬送ルートの概略を示す図である。
【００１１】
図１に示すように、紙葉類処理システムは、上位ＰＣ１０１、オペレーションスイッチ１０２、主制御部１０３、機構制御部１０４、処理装置１０５、紙葉類供給装置１０６、仕切り紙供給装置１０７、紙葉類集積装置１０８、搬送装置１０９を備えている。
【００１２】
オペレーションスイッチ１０２は、オペレータ操作入力を受け付け、受け付けた操作入力を主制御部１０３へ通知する。例えば、オペレーションスイッチ１０２が、運転開始又は運転停止の入力を受け付けると、運転開始又は運転停止を主制御部１０３へ通知する。主制御部１０３は、これら運転開始又は運転停止の通知に基づき機構制御部１０４に対して制御信号を送信する。機構制御部１０４は、主制御部１０３から送信される制御信号に基づき、上記説明した処理装置１０５、紙葉類供給装置１０６、仕切り紙供給装置１０７、紙葉類集積装置１０８、搬送装置１０９の動作を制御する。
【００１３】
紙葉類供給装置１０６は、処理対象の紙葉類が投入堆積される給紙台を備えている。さらに、紙葉類供給装置１０６は、この給紙台に投入堆積された紙葉類を１枚ずつ分離して取り出すためのローラーを含む取出装置を備えている。紙葉類供給装置１０６の取出装置によって取り出された紙葉類は、搬送装置１０９に設けられているベルト状の搬送路により搬送される。なお、紙葉類供給装置１０６は、給紙台に投入堆積される紙葉類の有無を光学センサ等により検知し、検知結果を主制御部１０３へ通知する。つまり、主制御部１０３は、処理対象の紙葉類の有無を認識することができる。
【００１４】
搬送装置１０９は、紙葉類供給装置１０６から処理装置１０５へ紙葉類を搬送したり、処理装置１０５から紙葉類集積装置１０８へ紙葉類を搬送したり、仕切り紙供給装置１０７から紙葉類集積装置１０８へ仕切り紙を搬送したりする。
【００１５】
処理装置１０５は、搬送装置１０９により搬送されてくる紙葉類の通過を光学センサ等によりチェックする。さらに、処理装置１０５は、例えばＯＣＲ（光学文字読取装置）を備え、紙葉類の券面情報（例えば識別番号）を読み取る。なお、処理装置１０５は、紙葉類の通過チェック又は紙葉類読取等により紙葉類処理枚数をカウントし、紙葉類処理枚数を主制御部１０３へ通知する。つまり、主制御部１０３は、紙葉類処理枚数を認識することができる。
【００１６】
紙葉類集積装置１０８は、搬送装置１０９により搬送されてくる紙葉類を順に堆積する。また、紙葉類堆積装置１０８は、紙葉類の券面情報の読取結果に基づき、紙葉類を振り分けて堆積することもできる。例えば、券面情報を正しく読み取ることができなかった紙葉類と、券面情報を正しく読み取ることができた紙葉類とを、別々に堆積することができる。なお、紙葉類堆積装置１０８は、光学センサ等により紙葉類堆積枚数をカウントし、紙葉類堆積枚数を主制御部１０３へ通知する。つまり、主制御部１０３は、紙葉類堆積枚数を認識することができる。
【００１７】
仕切紙供給装置１０７は、紙葉類堆積装置１０８に堆積された複数の紙葉類を所定枚数単位で仕切るための仕切り紙が投入堆積される給紙台を備えている。さらに、仕切紙供給装置１０７は、この給紙台に投入堆積された仕切り紙を１枚ずつ分離して取り出すためのローラーを含む取出装置を備えている。仕切紙供給装置１０７の取出装置は、主制御部１０３からの仕切り紙要求に基づき仕切り紙を取り出す。仕切紙供給装置１０７の取出装置によって取り出された仕切り紙は、搬送装置１０９に設けられているベルト状の搬送路により搬送される。紙葉類集積装置１０８は、搬送装置１０９により搬送されてくる仕切り紙を堆積する。なお、主制御部１０３は、上記したように紙葉類処理枚数及び紙葉類堆積枚数を認識している。従って、主制御部１０３は、紙葉類集積装置１０８において紙葉類が所定枚数堆積されたことを認識することができ、この認識のタイミングで仕切り紙を要求する。これにより、所定枚数単位の紙葉類に対して、仕切り紙が挿入されることになる。また、仕切紙供給装置１０７は、給紙台に投入堆積される仕切り紙の有無を光学センサ等により検知し、検知結果を主制御部１０３へ通知する。つまり、主制御部１０３は、仕切り紙の有無を認識することができる。
【００１８】
続いて、紙葉類処理システムの動作制御の第１例について説明する。
【００１９】
１．主制御部１０３が、上位ＰＣ１０１からの運転開始許可を受信する。上位ＰＣ１０１は、この運転開始許可に含まれるパラメータにより主制御部１０３に対して仕切り紙供給（要否）を指示する。
【００２０】
２．オペレータが、オペレーションスイッチ１０２を介して運転開始を指示する。これに対応して主制御部１０３は、機構制御部１０４に対して運転開始（搬送モータ駆動）を指示する。
【００２１】
３．機構制御部１０４は、主制御部１０３に対してモータ駆動を通知する。主制御部１０３は、機構制御部１０４に対して仕切り紙供給を指示する。
【００２２】
４．機構制御部１０４は、仕切り紙の供給を指示する。仕切り紙が無くなると、仕切紙供給装置１０７は、仕切り紙無しを検知し、仕切り紙無しを主制御部１０３へ通知する。
【００２３】
５．主制御部１０３は、仕切り紙無しをメモリに記憶する。主制御部１０３は、紙葉類の取出開始を指示する。
【００２４】
６．主制御部１０３、機構制御部１０４、処理装置１０５は、紙葉類を処理する。
【００２５】
７．紙葉類供給装置１０６による紙葉類無しの検知に基づき、機構制御部１０４は、主制御部１０３に対して紙葉類供給終了を通知する。
【００２６】
８．主制御部１０３は、メモリに記憶された仕切り紙無しの情報に基づき、上位ＰＣ１０１に対して、注意（仕切り紙無し）を通知する。上位ＰＣ１０１は、仕切り紙無し及び仕切り紙補給のメッセージを表示する。さらに、主制御部１０３は、機構制御部１０４に対して、運転停止（搬送モータ停止）を指示する。
【００２７】
９．オペレータは、仕切り紙を補充する。仕切り紙が補充されると、仕切紙供給装置１０７は、仕切り紙有りを検知し、仕切り紙有りを機構制御部１０４へ通知する。機構制御部１０４は、主制御部１０３に対して仕切り紙有りを通知する。
【００２８】
１０．主制御部１０３が、上位ＰＣ１０１からの運転開始許可を受信する。
【００２９】
１１．オペレータが、オペレーションスイッチ１０２を介して運転開始を指示する。これに対応して主制御部１０３は、機構制御部１０４に対して状態情報を要求し、仕切り紙有り（補充済み）を再度確認し、運転開始（搬送モータ駆動）を指示する。
【００３０】
図３は、上記した紙葉類処理システムの動作制御の第１例を実現するためのフローチャートである。以下、図３に示すフローチャートに沿って、動作を説明する。
【００３１】
主制御部１０３が、上位ＰＣ１０１からの運転開始許可を受信し、さらに上位ＰＣ１０１から仕切り紙供給の有無（要否）を受信し、仕切り紙供給の有無を記憶する（ＳＴ１０１）。オペレーションスイッチ１０２が、運転開始の入力を受け付けると（ＳＴ１０２）、運転開始を主制御部１０３へ通知する。主制御部１０３は、運転開始の通知に基づき機構制御部１０４に対して運転開始制御信号を送信する。機構制御部１０４は、主制御部１０３から送信される運転開始制御信号に基づき、処理装置１０５、紙葉類供給装置１０６、仕切り紙供給装置１０７、紙葉類集積装置１０８、搬送装置１０９の動作を制御し、紙葉類処理運転を開始する。
【００３２】
上記したように、主制御部１０３は、仕切紙供給装置１０７から通知される仕切り紙の有無の検知結果を受信し、これにより仕切り紙の有無を認識することができる。主制御部１０３は、仕切り紙有りの認識に基づき（ＳＴ１０３、ＹＥＳ）、運転が停止されている状態であれば（ＳＴ１０５、ＮＯ）、機構制御部１０４に対して運転開始を指示する（ＳＴ１０６）。主制御部１０３は、仕切り紙無しの認識に基づき（ＳＴ１０３、ＮＯ）、上位ＰＣ１０１に対して、仕切り紙無しを通知する。これに対応して、上位ＰＣ１０１は、例えばディスプレイに仕切り紙無しを案内するとともに、仕切り紙の補充を要求する（ＳＴ１０４）。
【００３３】
主制御部１０３は、上記したように紙葉類処理枚数及び紙葉類堆積枚数を認識している。従って、主制御部１０３は、紙葉類集積装置１０８において紙葉類が所定枚数堆積されたことを認識することができ、この認識のタイミングで仕切り紙を必要と判断する（ＳＴ１０７、ＹＥＳ）。つまり、主制御部１０３は、この認識のタイミングで機構制御部１０４に対して仕切り紙を要求する（ＳＴ１０８）。機構制御部１０４は、仕切紙供給装置１０７に対して仕切り紙を要求する。仕切紙供給装置１０７は、仕切り紙要求に基づき仕切り紙を取り出す。仕切紙供給装置１０７の取出装置によって取り出された仕切り紙は、搬送装置１０９に設けられているベルト状の搬送路により搬送される。紙葉類集積装置１０８は、搬送装置１０９により搬送されてくる仕切り紙を堆積する。
【００３４】
仕切紙供給装置１０７が、仕切り紙無しを検知すると、検知された仕切り紙無しは主制御部１０３へ通知される（ＳＴ１０９、ＹＥＳ）。主制御部１０３は、仕切り紙無しの情報を記憶する（ＳＴ１１０）。続いて、主制御部１０３は、紙葉類の取出開始を指示する（ＳＴ１１１）。これに対応して、紙葉類供給装置１０６の取出装置は、この給紙台に投入堆積された紙葉類を１枚ずつ分離して取り出す。これに対応して、処理装置１０５は、紙葉類を処理する（ＳＴ１１２）。
【００３５】
紙葉類供給装置１０６が、紙葉類無しを検知すると、検知された紙葉類無しは主制御部１０３へ通知される（ＳＴ１１３）。主制御部１０３は、仕切り紙無しを記憶していれば（ＳＴ１１４、ＹＥＳ）、上位ＰＣ１０１に対して仕切り紙無しを通知するとともに、機構制御部１０４に対して運転停止を指示する。これにより、上位ＰＣ１０１は、例えばディスプレイに仕切り紙無しを案内するとともに、仕切り紙の補充を要求し、また紙葉類処理の運転が停止される（ＳＴ１１５）。
【００３６】
オペレータが仕切り紙を補充すると、仕切紙供給装置１０７が、給紙台に投入堆積された仕切り紙を検知し、仕切り紙有りを主制御部１０３へ通知する。主制御部１０３は、上位ＰＣ１０１へ仕切り紙有りを通知し、上位ＰＣ１０１から運転開始許可を受信し、さらに上位ＰＣ１０１から仕切り紙供給の有無を受信し、仕切り紙供給の有無を記憶する（ＳＴ１０１）。オペレーションスイッチ１０２が、運転開始の入力を受け付けると（ＳＴ１０２）、運転開始を主制御部１０３へ通知する。主制御部１０３は、運転開始の通知に基づき機構制御部１０４に対して制御信号を送信する。主制御部１０３は、仕切り紙の補充を確認し、つまり仕切り紙有りの認識に基づき（ＳＴ１０３、ＹＥＳ）、運転が停止されている状態であれば（ＳＴ１０５、ＮＯ）、機構制御部１０４に対して運転開始を指示する（ＳＴ１０６）。
【００３７】
以上、この動作制御によれば、仕切り紙無しが検出されても、仕切り紙無しの情報を記憶するに留めて紙葉類処理は続行される。仕切り紙無しの情報が記憶された状態で、さらに処理対象の紙葉類無しが検出されると、注意の情報が発行され（メッセージ表示）、紙葉類処理が停止され、仕切り紙の補充が要求される。つまり、仕切り紙無しが検出されても未処理の紙葉類有りの検出に基づき紙葉類処理を継続し、未処理の紙葉類無しの検出に基づき紙葉類処理を停止する。これにより、紙葉類処理効率の向上を図ることができる。
【００３８】
続いて、紙葉類処理システムの動作制御の第２例について説明する。
【００３９】
１．主制御部１０３が、上位ＰＣ１０１からの運転開始許可を受信する。上位ＰＣ１０１は、この運転開始許可に含まれるパラメータにより主制御部１０３に対して仕切り紙供給（要否）を指示する。
【００４０】
２．オペレータが、オペレーションスイッチ１０２を介して運転開始を指示する。これに対応して主制御部１０３は、機構制御部１０４に対して運転開始（搬送モータ駆動）を指示する。
【００４１】
３．機構制御部１０４は、主制御部１０３に対してモータ駆動を通知する。主制御部１０３は、機構制御部１０４に対して仕切り紙供給を指示する。
【００４２】
４．機構制御部１０４は、仕切り紙の供給を指示する。仕切り紙が無くなると、仕切紙供給装置１０７は、仕切り紙無しを検知し、仕切り紙無しを主制御部１０３へ通知する。
【００４３】
５．主制御部１０３は、上位ＰＣ１０１に対して仕切り紙無し通知する。上位ＰＣ１０１は、仕切り紙無し及び次に仕切り紙が必要となるまでに仕切り紙補給のメッセージを表示する。主制御部１０３は、紙葉類の取出開始を指示する。
【００４４】
６．主制御部１０３、機構制御部１０４、処理装置１０５は、紙葉類を処理する。
【００４５】
７．紙葉類供給装置１０６による紙葉類無しの検知に基づき、機構制御部１０４は、主制御部１０３に対して紙葉類供給終了を通知する。
【００４６】
８．主制御部１０３は、機構制御部１０４に対して状態情報を要求し、仕切り紙無し（未補充）を確認し、上位ＰＣ１０１に対して仕切り紙無しを通知する。上位ＰＣ１０１は、仕切り紙無し及び次に仕切り紙が必要となるまでに仕切り紙補給のメッセージを表示する。
【００４７】
９．主制御部１０３が、上位ＰＣ１０１からの運転開始許可を受信する。このとき、この運転開始許可に含まれるパラメータにより主制御部１０３に対して仕切り紙供給無しが指示されるとする。
【００４８】
１０．オペレータが、オペレーションスイッチ１０２を介して運転開始を指示する。上位ＰＣ１０１は、仕切り紙無し及び次に仕切り紙が必要となるまでに仕切り紙補給のメッセージを表示する。このとき、仕切紙供給装置１０７が、仕切り紙有り（仕切り紙補充）を検知していれば、上位ＰＣ１０１に仕切り紙有りが通知される。上位ＰＣ１０１は、上記メッセージを消去する。主制御部１０３は、紙葉類の取出開始を指示する。
【００４９】
１１．紙葉類供給装置１０６による紙葉類無しの検知に基づき、機構制御部１０４は、主制御部１０３に対して紙葉類供給終了を通知する。主制御部１０３が、上位ＰＣ１０１からの運転開始許可を受信する。このとき、この運転開始許可に含まれるパラメータにより主制御部１０３に対して仕切り紙供給有りが指示されるとする。
【００５０】
１２．オペレータが、オペレーションスイッチ１０２を介して運転開始を指示する。これに対応して主制御部１０３は、機構制御部１０４に対して状態情報を要求し、仕切り紙無し（未補充）を確認し、上位ＰＣ１０１に対して仕切り紙無しを通知する。上位ＰＣ１０１は、仕切り紙無し及び次に仕切り紙が必要となるまでに仕切り紙補給のメッセージを表示する。主制御部１０１は、機構制御部１０４に対して運転開始を指示しない。
【００５１】
１３．オペレータは、仕切り紙を補充する。仕切り紙が補充されると、仕切紙供給装置１０７は、仕切り紙有りを検知し、仕切り紙有りを機構制御部１０４へ通知する。機構制御部１０４は、主制御部１０３に対して仕切り紙有りを通知する。
【００５２】
１４．オペレータが、オペレーションスイッチ１０２を介して運転開始を指示する。これに対応して主制御部１０３は、機構制御部１０４に対して状態情報を要求し、仕切り紙有り（補充済み）を再度確認し、運転開始（搬送モータ駆動）を指示する。
【００５３】
図４は、上記した紙葉類処理システムの動作制御の第２例を実現するためのフローチャートである。以下、図４に示すフローチャートに沿って、動作を説明する。
【００５４】
主制御部１０３が、上位ＰＣ１０１からの運転開始許可を受信し、さらに上位ＰＣ１０１から仕切り紙供給の有無（要否）を受信し、仕切り紙供給の有無を記憶する（ＳＴ２０１）。仕切り紙供給が必要な場合（ＳＴ２０２、ＹＥＳ）、主制御部１０３は、機構制御部１０４に対して状態を問い合わせる（ＳＴ２０３）。機構制御部１０４は、仕切紙供給装置１０７により仕切り紙無しが検知されていることを確認すると（ＳＴ２０４、ＹＥＳ）、仕切り紙無しを主制御部１０３へ通知する。これに対応して、主制御部１０３は、上位ＰＣ１０１に対して仕切り紙無しを通知するとともに、機構制御部１０４に対して運転停止を指示する。これにより、上位ＰＣ１０１は、例えばディスプレイに仕切り紙無しを案内するとともに、仕切り紙の補充を要求し、また紙葉類処理の運転が停止される（ＳＴ２０５）。
【００５５】
仕切り紙供給が不要な場合（ＳＴ２０２、ＮＯ）、或いは仕切り紙が有る場合（ＳＴ２０４、ＮＯ）、オペレーションスイッチ１０２が、運転開始の入力を受け付けると（ＳＴ２０６）、運転開始を主制御部１０３へ通知する。主制御部１０３は、運転開始の通知に基づき機構制御部１０４に対して運転開始制御信号を送信する。機構制御部１０４は、主制御部１０３から送信される運転開始制御信号に基づき、処理装置１０５、紙葉類供給装置１０６、仕切り紙供給装置１０７、紙葉類集積装置１０８、搬送装置１０９の動作を制御し、紙葉類処理運転を開始する。主制御部１０３は、運転が停止されている状態であれば（ＳＴ２０７、ＮＯ）、機構制御部１０４に対して運転開始を指示する（ＳＴ２０８）。
【００５６】
主制御部１０３は、上記したように紙葉類処理枚数及び紙葉類堆積枚数を認識している。従って、主制御部１０３は、紙葉類集積装置１０８において紙葉類が所定枚数堆積されたことを認識することができ、この認識のタイミングで仕切り紙を必要と判断する。つまり、主制御部１０３は、この認識のタイミングで機構制御部１０４に対して仕切り紙を要求する（ＳＴ２０９）。機構制御部１０４は、仕切紙供給装置１０７に対して仕切り紙を要求する。仕切紙供給装置１０７は、仕切り紙要求に基づき仕切り紙を取り出す。仕切紙供給装置１０７の取出装置によって取り出された仕切り紙は、搬送装置１０９に設けられているベルト状の搬送路により搬送される。紙葉類集積装置１０８は、搬送装置１０９により搬送されてくる仕切り紙を堆積する。
【００５７】
仕切紙供給装置１０７が、仕切り紙無しを検知すると、検知された仕切り紙無しは主制御部１０３へ通知される（ＳＴ２１０、ＹＥＳ）。主制御部１０３は、仕切り紙無しの情報を記憶する（ＳＴ２１１）。続いて、主制御部１０３は、紙葉類の取出開始を指示する（ＳＴ２１２）。これに対応して、紙葉類供給装置１０６の取出装置は、この給紙台に投入堆積された紙葉類を１枚ずつ分離して取り出す。これに対応して、処理装置１０５は、紙葉類を処理する（ＳＴ２１３）。
【００５８】
紙葉類供給装置１０６が、紙葉類無しを検知すると、検知された紙葉類無しは主制御部１０３へ通知される（ＳＴ２１４）。主制御部１０３は、仕切り紙無しを記憶していれば（ＳＴ２１６、ＹＥＳ）、上位ＰＣ１０１に対して仕切り紙無しを通知する。これにより、上位ＰＣ１０１は、例えばディスプレイに仕切り紙無しを案内する（ＳＴ２１７）。つまり、次に仕切り紙が必要となるまでに仕切り紙の補充が必要であることが案内される。ここでは、仕切り紙無し且つ処理対象の紙葉類無しであっても、仕切り紙が必要とならない限り、紙葉類処理の運転は停止されない。
【００５９】
しかし、仕切り紙供給が必要で（ＳＴ２０２、ＹＥＳ）、仕切り紙が無い場合には（ＳＴ２０４、ＹＥＳ）、主制御部１０３は、上位ＰＣ１０１に対して仕切り紙無しを通知するとともに、機構制御部１０４に対して運転停止を指示する。これにより、上位ＰＣ１０１は、例えばディスプレイに仕切り紙無しを案内するとともに、仕切り紙の補充を要求し、また紙葉類処理の運転が停止される（ＳＴ２０５）。
【００６０】
以上、この動作制御によれば、仕切り紙無しが検出されても、仕切り紙無しの情報を記憶し、注意の情報を発行する（メッセージを表示する）に留めて紙葉類処理は続行される。即ち、仕切り紙が必要となるまで紙葉類処理は続行される。仕切り紙が必要となった時点で、未だ仕切り紙が補充されていなければ紙葉類処理を停止し、仕切り紙が補充されれば紙葉類処理を再開する。これにより、たとえ仕切り紙無しが検出されても未処理の紙葉類が有り且つ仕切り紙要求が無ければそのまま紙葉類処理を継続し、仕切り紙無しが検出され且つ仕切り紙要求が有れば紙葉類処理を停止し、紙葉類処理効率の向上を図ることができる。
【００６１】
上記した動作制御によれば、仕切り紙が無くなっても、紙葉類供給装置１０６に残存する紙葉類を処理し終えてから、紙葉類処理を停止するので、スループットが向上する。また、処理対象の紙葉類の残りが僅かで仕切り紙が不要な場合、仕切り紙を補充することなく、処理対象の紙葉類の処理を完了させることが可能となる。さらに、仕切り紙を補充するタイミングが広がり、オペレータのオペレーションの自由度が広がる。
【００６２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００６３】
【図１】本実施形態に係る紙葉類処理システムの概略構成を示すブロック図である。
【図２】紙葉類処理システムの搬送ルートの概略を示す図である。
【図３】紙葉類処理システムの動作制御の第１例を示すフローチャートである。
【図４】紙葉類処理システムの動作制御の第２例を示すフローチャートである。
【符号の説明】
【００６４】
１０１…上位ＰＣ、１０２…オペレーションスイッチ、１０３…主制御部、１０４…機構制御部、１０５…処理装置、１０６…紙葉類供給装置、１０７…仕切り紙供給装置、１０８…紙葉類集積装置、１０９…搬送装置
【図１】
2009227348.tif 000003
【図２】
2009227348.tif 000004
【図３】
2009227348.tif 000005
【図４】
2009227348.tif 000006